【手続補正書】
【提出日】平成25年4月12日(2013.4.12)
【手続補正１】
【補正対象書類名】特許請求の範囲
【補正対象項目名】全文
【補正方法】変更
【補正の内容】
【特許請求の範囲】
【請求項１】
クラウス処理装置を用い、次いでクラウス排煙処理装置（ＴＧＴ）を用いた硫化水素を含有するガス状流出物の脱硫方法であって、前記ＴＧＴ装置からの出口におけるＨ２Ｓ／ＳＯ２比をオンライン分析する装置と、前記ＴＧＴ装置からの出口における前記ガス状流出物のＨ２Ｓ／ＳＯ２比を１．５〜２．５の範囲の値に維持することのできるフィードバックループとを使用する工程を含む、方法。
【請求項２】
ＴＧＴ装置からの出口におけるＨ２Ｓ／ＳＯ２比を１．７〜２．３の範囲の値に維持する、請求項１に記載の方法。
【請求項３】
ＴＧＴ装置からのガス状流出物を硫黄トラップに送る、請求項１又は２に記載の方法。
【請求項４】
ＴＧＴ装置からの出口におけるガス状流出物を、前記ガス状流出物が硫黄トラップのチャンバに導入されるまでクラウス装置の反応帯域の動作温度に維持する、請求項３に記載の方法。
【請求項５】
前記硫黄トラップは、７５〜１００℃の範囲の温度に維持された多孔性固体の床を含むチャンバを備える、請求項３又は４に記載の方法。
【請求項６】
請求項１に記載の方法であって、主に硫化水素を含み、かつ、水蒸気、窒素及びＣＯ２を含み得るライン（１）中のガス流をクラウス装置（３）の熱ステージに送り、ライン（（２）、次に（１６））を経由して供給される空気流もクラウス装置の熱ステージに導入して、硫化水素を部分燃焼させて二酸化硫黄を生成させ、熱ステージの後に、２又は３の触媒ステージが続き、該２又は３の触媒ステージにおいて、クラウス反応が継続され、それ故にクラウス装置（３）の一部を形成し、液体硫黄を、凝縮の後に、種々の反応器の間で回収し、ライン（４）を経由してクラウス装置からの出口において抜き出し、ライン（５）を経由して抜き出された排煙を処理装置（ＴＧＴ装置）（６）に導入し、生じた硫黄をライン（７）を経由して排出し、ＴＧＴ装置（６）からの流出物の一部（８）を取り出し、これを硫黄トラップ（９）に送り、次いでオンライン分析器（２１）に送り、オンライン分析器（２１）は弁（３２）の調節を可能にし、ライン（８）から取り出された流出物を、前記流出物の一部が硫黄トラップのチャンバに導入されるまで１２５〜１６０℃の範囲の反応器−接触器の動作温度に維持し、トラップの頭部を１２５〜１６０℃の範囲に維持し、多孔性固体を、チャンバ周囲のジャケット内に温水を循環させることによって、７５〜１００℃の範囲の温度に維持し、フィードバックループが、弁（３２）により調節された二次空気流を調節することによってＨ２Ｓ／ＳＯ２モル比を１．５〜２．５の範囲の値に維持することを可能にし、該二次空気流は、弁（３１）によって調節される一次空気流を補い、前記弁自体を、流量コントローラ（２２）と酸性ガス中のＨ２Ｓの濃度についてのオンライン分析器（２５）とによって、酸性ガス及び空気の流量の測定値から制御する、方法。
【請求項７】
請求項１に記載の方法であって、主に硫化水素を含み、かつ、水蒸気、窒素及びＣＯ２を含み得るライン（１）中のガス流をクラウス装置（３）の熱ステージに送り、総流量の約０．５〜２％を示すライン（１）中のガス状流出物の一部を、ライン（１１）を経由して炉（１２）に送り、Ｈ２ＳをＳＯ２に全て酸化させ、流量コントローラ（２３）によって測定されるライン（１）中のガス流の総流量が固定された割合を示すように、ライン（１１）中の流出物の流量を弁（３６）によって調節し、ライン（１３）を経由して炉（１２）に導入される空気の流量を弁（３３）によって調節し、弁（３３）は、流量コントローラ（２４）とＨ２Ｓの濃度を示すオンライン分析器（２５）とによって制御され、弁（３４）を開けることによって、炉からのライン（１５）中の流出物の一部をクラウス装置の下流に送り、ライン（１４）中の流出物の残りの部分をライン（１）中のガス流及び空気流（ライン（２）、次いで（１６））と一緒にクラウス装置の熱ステージに導入し、オンライン分析器（２０）は、クラウス装置からの出口においてライン（５）中の流出物のＨ２Ｓ／ＳＯ２比を測定し、フィードバックループは、弁（３２）によって調節された二次空気の流量を調節することによって、この比を２近くの値に維持することを可能にし、該二次空気の流量は、弁（３１）によって調節された一次空気流を補い、該弁自体は、酸性ガスおよび空気の流量の測定値から、流量コントローラ（２２）および酸性ガス中のＨ２Ｓの濃度についてのオンライン分析器（２５）により制御され、オンライン分析器（２１）は、ライン（８）中の流出物のＨ２Ｓ／ＳＯ２比の値を、ＴＧＴ装置からの出口において、硫黄トラップ（９）を経由して通過させた後に測定することを可能にし、フィードバックループは、クラウス装置からのライン（５）中の流出物と混合されているライン（１０）および（１５）中の流出物を調節することによって前記Ｈ２Ｓ／ＳＯ２比を維持することを可能にし、得られたライン（１７）中の流出物をＴＧＴ装置（６）に送り、分析器（２１）によりモル比Ｈ２Ｓ／ＳＯ２が２より大きいことが測定されると、弁（３４）が開けられ、かつ、弁（３５）が完全に閉じられ、反対に、分析器（２１）によりＨ２Ｓ／ＳＯ２比が２未満であることが測定されると、弁（３５）か開けられ、かつ、弁（３４）が完全に閉じられる、方法。
【請求項８】
Ｈ２Ｓ／ＳＯ２比についてのオンライン分析装置は、ガスクロマトグラフである、請求項１〜７のいずれか１つに記載の方法。
【手続補正２】
【補正対象書類名】明細書
【補正対象項目名】００２２
【補正方法】変更
【補正の内容】
【００２２】
好ましくは、主に硫化水素を含み、かつ、水蒸気、窒素及びＣＯ２を含み得るライン（１）中のガス流をクラウス装置（３）の熱ステージに送り、ライン（（２）、次に（１６））を経由して供給される空気流もクラウス装置の熱ステージに導入して、硫化水素を部分燃焼させて二酸化硫黄を生成させ、熱ステージの後に、２又は３の触媒ステージが続き、該２又は３の触媒ステージにおいて、クラウス反応が継続され、それ故にクラウス装置（３）の一部を形成し、液体硫黄を、凝縮の後に、種々の反応器の間で回収し、ライン（４）を経由してクラウス装置からの出口において抜き出し、ライン（５）を経由して抜き出された排煙を処理装置（ＴＧＴ装置）（６）に導入し、生じた硫黄をライン（７）を経由して排出し、ＴＧＴ装置（６）からの流出物の一部（８）を取り出し、これを硫黄トラップ（９）に送り、次いでオンライン分析器（２１）に送り、オンライン分析器（２１）は弁（３２）の調節を可能にし、ライン（８）から取り出された流出物を、前記流出物の一部が硫黄トラップのチャンバに導入されるまで１２５〜１６０℃の範囲の反応器−接触器の動作温度に維持し、トラップの頭部を１２５〜１６０℃の範囲に維持し、多孔性固体を、チャンバ周囲のジャケット内に温水を循環させることによって、７５〜１００℃の範囲の温度に維持し、フィードバックループが、弁（３２）により調節された二次空気流を調節することによってＨ２Ｓ／ＳＯ２モル比を１．５〜２．５の範囲の値に維持することを可能にし、該二次空気流は、弁（３１）によって調節される一次空気流を補い、前記弁自体を、流量コントローラ（２２）と酸性ガス中のＨ２Ｓの濃度についてのオンライン分析器（２５）とによって、酸性ガス及び空気の流量の測定値から制御する。